(57)【要約】      （修正有）【課題】レーザ光源の放熱を促進して光ピックアップの温度上昇を抑え、情報の記録再生を正確に行う。【解決手段】光ディスク装置において、回転装置の周辺から光ピックアップが移動する領域に至るまで貫通された第一の貫通部２ａと、光ディスクを載置させるガイドとなるディスク載置凸部と、ディスク載置凸部の左右端部で凸部が途切れるように形成されたディスク切欠部２１ａと、を有し第一の貫通部が開口しているディスク載置部２０と、光ディスクの直下あるいは側面に至らないように光ディスクの外周側に、かつディスク載置部２０の後方で第一の貫通部２ａから見て光ディスクの回転方向の上流側に配置され、光ディスクの回転に伴い、最外周となる開口端部で下降する流れを発生させるように設けられた第二の貫通部２ｂと、を備える。【選択図】図２
2008165979.tif 000002
【特許請求の範囲】
【請求項１】
光ディスクの内径と係合し回転させる回転装置と、前記光ディスクよりもやや大きい大きさで窪んでおり前記光ディスクの載る位置を規定するディスク載置部と、前記光ディスクの径方向に移動可能とされ、レーザ光を前記光ディスクの記録面に照射して情報を記録または再生する光ピックアップと、を備えた光ディスク装置において、
前記回転装置の周辺から前記光ピックアップが移動する領域に至るまで貫通され、前記回転装置と前記光ディスクとの係合、前記光ピックアップから前記光ディスクへのレーザ光の照射、を可能とする第一の貫通部と、
前記光ディスクを載置させるガイドとなるディスク載置凸部と、該ディスク載置凸部の左右端部で凸部が途切れるように形成されたディスク切欠部と、を有し、前記第一の貫通部が開口している前記ディスク載置部と、
前記光ディスクの直下あるいは側面に至らないように前記光ディスクの外周側に、かつ前記ディスク載置部の後方で前記第一の貫通部から見て前記光ディスクの回転方向の上流側に配置され、前記光ディスクの回転に伴い、最外周となる開口端部で下降する流れを発生させるように設けられた第二の貫通部と、
を備えたことを特徴とする光ディスク装置。
【請求項２】
請求項１に記載のものにおいて、前記第二の貫通部は、前記光ディスク装置の前後方向に長い形状とされたことを特徴とする光ディスク装置。
【請求項３】
請求項１に記載のものにおいて、前記光ピックアップは、三つのレーザダイオードが搭載されたことを特徴とする光ディスク装置。
【発明の詳細な説明】
【技術分野】
【０００１】
本発明は、光学的に情報を記録する記録媒体に情報を記録する、または記録媒体に記録された情報を読み出す光ディスク装置に係り、特に光ディスク装置の光ピックアップの放熱技術に係る。
【背景技術】
【０００２】
光ディスク装置は、データ転送速度の高速化、記憶容量の大容量化が求められており、それに伴い光ディスクの回転数が高速回転化されている。そして、高速回転化された光ディスクの情報の記録または再生を正確に行うために、レーザ光源を出力増加させる傾向がある。
【０００３】
ところが、光ディスク装置のデータ転送速度の高速化に伴い、高速回転化による光ディスクの振動の増加や、光ディスクに駆動力を与えるモータの高速回転化及びレーザ光源の出力増加による発熱の増加が課題となってくる。
【０００４】
データ転送の高速化に伴う課題の解決を図った光ディスク装置は、例えば特開２０００−２８５５５５号公報（以下、特許文献１と称す）に記載されている。特許文献１に記載の発明では、回転機構の回転動作に伴って発生する空気流による圧力分布を抑え、光ディスクの高速回転による振動の低減を図った構成となっている。
【０００５】
【特許文献１】特開２０００−２８５５５５号公報
【発明の開示】
【発明が解決しようとする課題】
【０００６】
しかし、上記特許文献１に記載の発明は、レーザ光源の出力増加に伴う発熱増加及び温度上昇については、あまり考慮されていない。レーザ光源の発熱量増加に伴ってレーザ光源の温度が過度に上昇することが頻繁に起こった場合、レーザ光源の劣化が進行しやすくなる。そして、レーザ光源の劣化が進むと、情報の記録あるいは再生を正確に行うことができなくなるおそれが生じる。したがって、レーザ光源の温度が過度に高くならないように抑えるべく、レーザ光源を実装した光ピックアップの放熱促進技術が求められている。
【０００７】
本発明では、レーザ光源の放熱を促進して光ピックアップの温度上昇を抑え、情報の記録再生を正確に行える光ディスク装置を提供することを目的とする。
【課題を解決するための手段】
【０００８】
本発明の光ディスク装置は上記課題を解決するために、光ディスクの内径と係合し回転させる回転装置と、前記光ディスクよりもやや大きい大きさで窪んでおり前記光ディスクの載る位置を規定するディスク載置部と、前記光ディスクの径方向に移動可能とされ、レーザ光を前記光ディスクの記録面に照射して情報を記録または再生する光ピックアップと、を備えた光ディスク装置において、前記回転装置の周辺から前記光ピックアップが移動する領域に至るまで貫通され、前記回転装置と前記光ディスクとの係合、前記光ピックアップから前記光ディスクへのレーザ光の照射、を可能とする第一の貫通部と、前記光ディスクを載置させるガイドとなるディスク載置凸部と、該ディスク載置凸部の左右端部で凸部が途切れるように形成されたディスク切欠部と、を有し、前記第一の貫通部が開口している前記ディスク載置部と、前記光ディスクの直下あるいは側面に至らないように前記光ディスクの外周側に、かつ前記ディスク載置部の後方で前記第一の貫通部から見て前記光ディスクの回転方向の上流側に配置され、前記光ディスクの回転に伴い、最外周となる開口端部で下降する流れを発生させるように設けられた第二の貫通部と、を備えたものである。
【発明の効果】
【０００９】
本発明によれば、ファン等の追加部材無しで周囲風速が小さい光ピックアップの回転上流側部分の通風を促進し、光ピックアップの放熱を促進し、温度上昇を抑えることができる。
【発明を実施するための最良の形態】
【００１０】
以下、本発明の実施例を図面を用いて説明する。
【実施例１】
【００１１】
図１〜６、１０〜１２は第一の実施例の説明図である。図１は本発明の第一の実施例としての光ディスク装置の要部分解図、図２は説明の都合上、上蓋９を外した状態での図１の装置の駆動状態を示した図である。図３は斜め下側からみた図２の装置の要部斜視図である。図４は図２中のＡ−Ａ断面、図５は図２中のＢ−Ｂ断面である。図６は第一の実施例の別の形態である。図１０は光ディスク１と光ピックアップ４とユニットメカ５とを抜き出した図である。図１１はディスク移送部材２を示した図である。図１２は図２中Ｃ−Ｃ断面である。
【００１２】
図１において、１は光ディスク、２は光ディスク１を移送するディスク移送部材であり、２ａはディスク移送部材２の第一の貫通部、２ｂはディスク移送部材２の第二の貫通部、２ｃ、２ｄはディスク移送部材２の前側貫通部、３は光ディスク１を回転駆動する回転装置、４は光ピックアップ、５は光ピックアップ４を含むユニットメカ、６はユニットシャーシ、７は制御基板、８は光ピックアップ４と制御基板７を結ぶケーブル、９は筐体上蓋、１０は筐体下蓋である。図１０において１５ａ、１５ｂは光ピックアップ４に内蔵されたレーザダイオード、１６は光ピックアップ４に内蔵された光学系のレンズ、１７はレーザ光、１８は仮想的な光ディスク１の拡大面、１９ａ、１９ｂはそれぞれレーザダイオード１５ａ，１５ｂの光ディスク１または仮想的な光ディスク１の拡大面への射影、２４は温度検知手段である。図１１において、２０はディスク載置部、２０aはディスク載置平面部、２１ａ、２１ｂはディスク載置切欠部、２２ａ、２２ｂ、２２ｃはディスク載置凸部、２３はディスク載置上端部である。
【００１３】
光ディスク装置は、図１左側のディスク移送部材２がディスク装置本体の外側にスライドして出ている面が前面にあたり、この面を前にしてPC（Personal Computer）等の情報処理装置に、内蔵または外付けで取り付けられる。ディスク移送部材２の光ディスク１を載置するディスク載置部２０は、光ディスク１よりもやや大きい大きさで窪んでおり、光ディスク１の載る位置を規定している。光ディスク装置が記録または再生を行う光ディスクとしては、CD（Compact Disc）、CD-R（Recordable）、CD-RW(Rewritable)、DVD（Digital Versatile Disc）、DVD-R、DVD-RAM(Random Access Memory)、DVD-RW等があり、カートリッジを用いずに光ディスク内に挿入する。ディスク移送部材２に光ディスク１を載置した状態で、イジェクトボタン（図示せず）を押す等の操作によりディスク移送部材２が光ディスク装置の筐体内にスライドして移動し、光ディスク１が装置内部に導入される。そして、回転装置３が上昇して光ディスク１の内径と係合し、回転装置３によって光ディスクを右回りに回転させる。
【００１４】
光ピックアップ４を含むユニットメカ９は光ディスク装置の前後方向、すなわち光ディスク１の径方向に移動可能であり、制御基盤７からの操作信号によりディスク径方向に移動して、レーザを光ディスク１下面の記録面の所望の位置に照射して、情報を記録または再生する。第一の貫通部２aは、ディスク移送部材２の下側の回転装置３が上側の光ディスク１と係合するためのものであり、また、ディスク移送部材２の下側の光ピックアップ３が上側の光ディスク１に照射するレーザを通すためのものである。そのため、第一の貫通部２aは、ディスク移送部材２が光ディスク装置の内部に収納された状態で、回転装置３の周辺のディスク載置部２０から、光ピックアップ４が移動する領域である光ディスク装置の後方側に向かって、ディスク移送部材２の載置部２０の外まで達する大きな孔となっている。光ピックアップは、レーザダイオード１５ａ、１５ｂ（図１０）を有している。CDの記録・再生を行うCD用のレーザの波長は785nm、DVD用のレーザの波長は660nmと異なっており、本実施例のようにDVD及びCDの両方の記録・再生に対応した光ディスク装置
は、二つのレーザダイオードを有することとなる。なお、CD、DVDに加えてBlu-ray Disc（登録商標）やHD DVD（登録商標）といった青色レーザ（波長405nm）を用いた光ディスクにも対応した光ディスク装置は、さらにもう一つ青色レーザダイオードを備え、合計三つのダイオードを備えることとなる。
【００１５】
上記の構成において、図２のB-B断面である図５に示すように、光ディスク装置が記録
または再生動作を行うとき、光ディスク１の回転によって光ディスク１の周囲の空気に対する剪断力と遠心力等が発生し、空気の流れが形成される。光ディスク１の下面では、回転装置３周りの第一の貫通部２ａを経てディスク移送部材２の下側から空気が吸引され、光ディスク１の回転による遠心力により光ディスク１とディスク移送部材２間を内周から外周へ向けて空気が流れる。その一部はディスク移送部材２から外へ流出し、一部は光ディスク１の上面側に巻き上がって内周側に流れ込む。
【００１６】
一方、光ディスク１上面近傍では、光ディスク１の回転による遠心力により光ディスク１の内周から外周に向けて空気が流れ、その一部は光ディスク１の上面から外へ流出する。光ディスク１の下面側とは違い第一の貫通部２ａのような回転中心側からの流入路が無いため、光ディスク１上面では中央側の圧力が低下する圧力分布が形成される。このため上蓋９側で光ディスク１の外周から内周へと空気が戻って循環する流れが形成され、上述したように光ディスク１外周端で光ディスク１下面から上面側に向けて巻き上がる流れが生じる。
【００１７】
図２に示すように、上述したディスク移送部材２から流出した流れは、光ディスク１の外周での周速と同程度の周方向の高速の流れとなり、ディスク載置切欠部２１ａからディスク移送部材２外部に流出した後ユニットシャーシ６と衝突し、第一の貫通部２ａに向かうディスク回転に伴う流れ１と光ディスク１上下面から直接流れてくるディスク回転に伴う流れ２とが合わさって、第一の貫通部２ａでディスク移送部材２の下側に潜り込み、ディスク回転下流側に至る。
【００１８】
図３は、光ディスク装置を斜め下側から見た図であり、また、図４は、図２のA-A断面を光ディスク後方側から見た図であり、この断面では、光ディスク１は図４の右から左へ移動するように回転している。図３及び図４に示すように、第一の貫通部２aからディスク移送部材２の下側に潜り込んだ流れは、光ピックアップ４とメカユニット５の間の隙間等を通過し、主に光ピックアップ４側面から下側を斜めに横切るように流れ、回転装置３の位置付近の第一の貫通部２ａで上昇し、再度ディスク１の回転による遠心力等の作用でディスク１の外周側へと供給される。
【００１９】
このときに、図２に示すようにディスク移送部材２のディスク１の外周側で第一の貫通部２ａよりもディスク回転上流側に第二の貫通部２ｂを設けておいた場合、上記したディスク載置切欠部２１ａから流出した高速な図２中の光ディスク１の回転に伴う流れ１が第二の貫通部２ｂ上を通過すると、流速差に伴う剪断力により第二の貫通部２ｂ部の流体を引っ張る作用と、光ディスク１上面で形成された低圧部の影響で圧力が下がった状態の高速流とディスク移送部材２下側との圧力差による作用との両者により、第二の貫通部２ｂ部を介してディスク移送部材２の下側から上側方向への吸い上げ流が発生し、ディスク移送部材２から流出した流れと混合しつつ光ディスク１の回転下流方向に流れる。ディスク移送部材２の下側では光ピックアップ４のより回転上流側にあたる元々風速の小さい領域に上述した吸い上げ流に伴う流れが生じるため、図４のようにディスク移送部材２の下側で光ピックアップ４のディスク回転上流側の面を中心に周囲の風速が増す。光ディスク１内の記録または再生を行うときには、光ピックアップ４内のレーザダイオード１５ａ、１５ｂが発光して生じたレーザを光ディスク１に照射するが、このとき発光によりレーザダイオード１５ａ、１５ｂ自身が発熱し、温度が上昇する。レーザダイオードの熱は、光ピックアップ９を通じて放熱することで、レーザダイオードが劣化しない程度の温度に保っている。本発明では、光ピックアップ９の周囲の風速が増すことにより、対流熱伝達率が増加してレーザダイオード１９ａ、１９ｂの放熱を促進することができる。
【００２０】
ここでディスク載置部２０は図１１に示すようにディスク載置平面部２０ａ、ディスク載置切欠部２１ａ、２１ｂ、ディスク載置凸部２２ａ、２２ｂ、２２ｃ、ディスク載置上端部２３ａ、２３ｂ、２３ｃから構成され、ディスク載置部２０の外周はディスク載置上端部２３ａ、２３ｂ、２３ｃで表すものとする。ディスク移送部材２は、横幅が光ディスク１よりやや広い程度である。ディスク載置凸部２２ａ、２２ｂ、２２ｃは、光ディスク１をディスク載置部２０内に載置させるガイドであるが、ディスク移送部材２の端部付近で凸部が途切れてディスク切欠部２１ａ、２１ｂとなっている。また、ディスク載置部２０内からその後方にかけて、第一の貫通部２ａが開口している。
【００２１】
前側貫通部２ｃ及び２ｄは、光ディスク１の回転を安定させるためのものである。前述の通り、光ディスク１が回転すると、光ディスク１の下側では空気の流れが生じ、特に第一の貫通部２aの上では激しい上昇気流が生じ、光ディスク１が押し上げられることとなり、前側貫通部２ｃが無い場合には、光ディスク１がディスク移送部材２に略平行にならずに前傾してしまう。前側貫通部２ｃを設けることにより、前側貫通部２ｃを介しても上昇気流が生じて光ディスク１を押し上げるため、光ディスク１がディスク移送部材２に対して略平行を保つことができる。
【００２２】
なお、第２の貫通部２ｂでは図１２に示すように大部分で吸い上げ流となるが、回転中心からみて最外周部では、第２の貫通部２ｂの形状によっては開口端部に流れが衝突して部分的に下降する流れが生じる場合がある。この場合には光ピックアップ４の側面、或いは上面で下降した流れが反転して吸い上げ流に合流する流れとなるため、光ピックアップ４の側面、上面、下面での通風が促進される効果が得られる。
【００２３】
また、第二の貫通部２ｂは光ディスク１の直下、あるいは側面に設けられていないため、光ディスク１に作用する圧力分布に直接影響を与えることがない。したがって高速回転時に問題となる場合が多い光ディスクの回転振動に悪影響を与えることなく、光ピックアップ４の放熱を促進することができる。
【００２４】
さらに本実施例はディスク移送部材２に開口するだけの簡易な構成であるため、光ディスク装置内部にファンを設置する場合に比べて、構成部品を少なくしコストを低減できるとともに、光ディスク装置全体の電力消費増加を抑えることができる。
【００２５】
なお第二の貫通部２ｂの形状は図１、２に示したように光ディスク装置の前後方向に長い形状に限定するものではなく、例えば図６に示すようなディスクの周方向に沿うような形状としても、ディスク回転に伴う流れ１の下側から大きく外れることが無く同様な効果が得られる。また図示しないが第二の貫通部２ｂとして小型の貫通部を複数設けても上述したものと同等の効果が得られ、ディスク移送部材の構造強度を増すことができる。
【００２６】
上記した第二の貫通部２ｂについて、貫通面積の合計Ｓは、図１０に示す光ピックアップ４に搭載されている部品の中で主要発熱部品である全てのレーザダイオード１９ａ、１９ｂの光ディスク１または仮想的な光ディスク１の拡大面１８への射影１９ａ、１９ｂの面積Ｓ１、Ｓ２の合計よりも少なくとも大きくするものとする。これは主要発熱部品であるレーザダイオード１９ａ、１９ｂの射影面積の合計より小さい貫通面積では有効な吸い上げ風量が得られず、光ピックアップ４周りの通風による放熱が促進されないことによるものである。
【００２７】
上記の説明ではレーザダイオード１９a、１９ｂが光ピックアップ４に２個搭載されて
いる光ディスク装置について説明したが、レーザダイオードの数は２個に限定されるわけではなく、１個の場合でも、青色レーザダイオードも備えた３個以上の場合でもよいものとする。
【実施例２】
【００２８】
次に本発明の他の実施例を図７，８に示す。図８は図７中のＣ−Ｃ断面である。図７、８において１３は突起である。図７，８において突起１３は、ディスク移送部材２の上側であり、第二の貫通部２ｂに対し光ディスク１の回転上流側の少なくとも一部に設置する。
【００２９】
トレイ移送部材２から流出した高速の流れが突起１３上を通過すると、突起１３のディスク回転下流側では、流れが剥離して、図８に示すように剥離渦が発生する。渦中心では局所的に圧力が低くなるため、第二の貫通部２ｂの上側の圧力が突起１３が無い場合に比べて低下する。したがって、ディスク移送部材２の上下面の圧力差が大きくなり、光ピックアップ４の配置されるディスク移送部材２下側から第二の貫通部２bを介しての吸い上げ風量が増加し、光ピックアップ４の近傍を通る空気流による対流熱伝達率が増加して、光ピックアップ９の放熱をさらに促進することができる。
【００３０】
なお、図７ではトレイ移送部材２から流出した流れが、光ディスク１の外周に偏っている場合を想定し、光ディスク１に近い側だけに突起１３を設置した図を示しているが、光ディスク装置の構造と形成される流れ場によっては光ディスク１から遠い側だけに突起１３を設置してもよいし、光ディスク１の回転上流側全体に設置してもよい。
【００３１】
また図８では突起１３として、第二の貫通部２ｂの淵部に直方体形状のものを設けた図を示しているが、この形状に限定するものではなく、他の形状としても同様の効果が得られるものであればよいものとする。
【００３２】
本実施例によれば、突起１３を設けることにより、第二の貫通部２ｂのディスク誘起流上流側に設けた突起により剥離渦を生じさせ、局所的に低圧部を形成することとで、第二の貫通部２ｂからの吸い上げ流を増し、光ピックアップ９の放熱をより促進することができる。
【実施例３】
【００３３】
次に本発明の他の実施例を図９に示す。図９において１４は突起である。
【００３４】
図９において突起１４を、第二の貫通部２ｂを有するディスク移送部材２の上側であり、第一の貫通部２ａ端部の光ディスク１回転下流側の少なくとも一部に設置する。
【００３５】
光ディスク装置の構成によっては、ディスク移送部材２から流出した高速の空気の流れが第二の貫通部２ｂ上を通過すると、第二の貫通部２ｂからの吸い上げ流の影響を受け、上蓋９側に流れの向きが変化し、第一の貫通部２ａへの流入が減少するおそれがある。突起１４をディスク移送手段２上側であり、第一の貫通部２ａのディスク回転下流側の端部に設置すると、空気の流れが突起１４に遮蔽されディスク移送部材２の下側への流れが増加し、光ピックアップ４への通風が増し、放熱を促進することができる。
【００３６】
本実施例によれば、ディスク移送部材２の第一の貫通部２ａの端部に設けた突起１４により、ディスク誘起主流が第二の貫通部２ｂからの吸い上げ流の影響で上側に寄っても、第一の貫通部２からディスク移送部材２の下側に流れやすくして光ピックアップの放熱を促進することができる。
【実施例４】
【００３７】
次に本発明の他の実施例を図４、図１０、図１３、図１４に示す。本実施例では、図１０に示すように光ピックアップ４に温度検知手段２４が備えられており、図１３に示すように温度検知手段２４が光ディスク１の読み込み、または書き込み時に設定温度Ｔｅｍｐ１以上に上昇したことを検知すると、レーザダイオード１５ａ、１５ｂ等の発熱部品の寿命劣化を防止するため、素子１１ａに内蔵された制御装置がレーザの照射を中断する。このとき光ディスク１の回転は継続して、光ディスク１の回転により誘起される流れにより光ピックアップ４を冷却する。
【００３８】
第二の貫通部２ｂが設けられているため、光ピックアップ４の通風による放熱の効果は大きく、短い時間で光ピックアップ４の温度を低下させることができる。温度検知手段２４が設定温度Ｔｅｍｐ２以下に下がったことを検知すると、レーザ照射が再開され、光ディスクの読み込み、または書き込みを再開することができる。
【００３９】
本実施例によれば、一時的に光ディスク装置外部の雰囲気温度が上昇したり、連続して光ディスクを書き込んだ場合でも、高温によりレーザダイオード等の部品寿命を損なうことなく、冷却のためのわずかな時間の増加で光ディスク装置の使用を継続することが可能となる。また温度上昇時の光ディスク回転は、冷却効果を高めるため、レーザ照射時よりも回転数を高くすると効果的である。
【００４０】
これによって、光ディスク装置の設置雰囲気温度が過度に上昇する等で光ピックアップ４が過熱した場合でも、レーザ照射を中断して光ピックアップ４での発熱を抑えるとともに、光ディスク１を少なくとも照射中断前と同等以上の回転数で回転して、光ディスク１の回転により誘起される流れで光ピックアップ４の放熱を促進するものである。特に第二の貫通部２ｂに生じる吸い上げ流により、光ピックアップ４の本来流速の小さい部分についても通風が促進され、短時間で光ピックアップの温度を低減し、光ディスク１にレーザ照射を再開することができ、レーザダイオード１５ａ、１５ｂの寿命を損なうことなく、光ディスク１へのアクセスが可能となる効果がある。
【００４１】
また、設定温度Ｔｅｍｐ２以下に光ピックアップ４の温度が低下したことを検知する代わりに、図１４に示すように、光ディスク１の回転を所定時間だけ行う制御としてもよい。
【００４２】
さらに上記した設定温度Ｔｅｍｐ１、Ｔｅｍｐ２、設定時間ｔ１、光ディスク回転数は、光ディスクの種類（例えばＣＤ−Ｒ、ＣＤ−ＲＷ、ＤＶＤ−Ｒ、ＤＶＤ−ＲＷ、ＤＶＤ−ＲＡＭ、ＤＶＤ二層書き込み）毎に、読み込みまたは書き込みの倍速（例えば２倍速、４倍速、８倍速、１６倍速）毎に異なる値を設定して、制御装置にあらかじめ入力データとして与えておいてもよい。レーザの出力が高出力になるほど発熱が大きくなるので、設定温度Ｔｅｍｐ１、Ｔｅｍｐ２を低くまたは設定時間ｔ１を長く設定し、レーザの出力が低くなるほど、設定温度Ｔｅｍｐ１、Ｔｅｍｐ２を高くまたは設定時間ｔ１を短く設定することが望ましい。
【００４３】
例えば、低倍速でレーザ照射出力の高い、ＤＶＤ２層書き込みのような場合には、光ピックアップ４過熱時に光ディスク１の回転数を高く設定するとともに、設定温度Ｔｅｍｐ２を低く（または設定時間ｔ１を長く）設定することで、レーザ照射の中断頻度を下げつつ、光ディスク装置の使用を継続することが可能となる。
【００４４】
これによって、光ディスク１の種類、読み込み速度、書き込み速度に応じて光ピックアップ４冷却時の光ディスク回転数、冷却設定温度、冷却時間等を変更することで、それぞれの条件で最適な冷却を行い、レーザ照射の中断頻度を少なくしつつ、光ディスク装置の使用を継続することができる。
【図面の簡単な説明】
【００４５】
【図１】本発明の光ディスク装置の実施例を示す図である。
【図２】本発明の光ディスク装置の実施例を示す図である。
【図３】本発明の光ディスク装置の実施例を示す図である。
【図４】本発明の光ディスク装置の実施例を示す図である。
【図５】本発明の光ディスク装置の実施例を示す図である。
【図６】本発明の光ディスク装置の他の実施例を示す図である。
【図７】本発明の光ディスク装置の他の実施例を示す図である。
【図８】本発明の光ディスク装置の他の実施例を示す図である。
【図９】本発明の光ディスク装置の他の実施例を示す図である。
【図１０】本発明の光ディスク装置の実施例を示す図である。
【図１１】本発明の光ディスク装置の実施例を示す図である。
【図１２】本発明の光ディスク装置の実施例を示す図である。
【図１３】本発明の光ディスク装置の他の実施例を示す図である。
【図１４】本発明の光ディスク装置の他の実施例を示す図である。
【符号の説明】
【００４６】
１…光ディスク、２…ディスク移送部材、２ａ…第一の貫通部、２ｂ…第二の貫通部、２ｃ…前側貫通部、２ｄ…前側貫通部、３…回転装置、４…光ピックアップ、５…ユニットメカ、６…ユニットシャーシ、７…制御基板、８…ケーブル、９…筐体上蓋、１０…筐体下蓋、１１ａ、１１ｂ…素子、１２ａ、１２ｂ…熱伝導部材、１３…突起、１４…突起、１５ａ、１５ｂ…レーザダイオード、１６…光学系レンズ、１７…レーザ光、１８…仮想的な光ディスクの拡大面、１９ａ，１９ｂ…レーザダイオードの光ディスクまたは仮想的な光ディスクの拡大面への射影、２０ａ…ディスク載置平面部、２１ａ、２１ｂ…ディスク切欠部、２２ａ、２２ｂ、２２ｃ…ディスク載置凸部、２３ａ、２３ｂ、２３ｃ…ディスク載置上端部。
【図１】
2008165979.tif 000003
【図２】
2008165979.tif 000004
【図３】
2008165979.tif 000005
【図４】
2008165979.tif 000006
【図５】
2008165979.tif 000007
【図６】
2008165979.tif 000008
【図７】
2008165979.tif 000009
【図８】
2008165979.tif 000010
【図９】
2008165979.tif 000011
【図１０】
2008165979.tif 000012
【図１１】
2008165979.tif 000013
【図１２】
2008165979.tif 000014
【図１３】
2008165979.tif 000015
【図１４】
2008165979.tif 000016
【手続補正書】
【提出日】平成20年4月25日(2008.4.25)
【手続補正１】
【補正対象書類名】特許請求の範囲
【補正対象項目名】全文
【補正方法】変更
【補正の内容】
【特許請求の範囲】
【請求項１】
光ディスクの内径と係合し回転させる回転装置と、前記光ディスクよりもやや大きい大きさで窪んでおり、前記光ディスクの載る位置を規定するディスク載置部と、前記光ディスクの径方向に移動可能とされ、レーザ光を前記光ディスク下面の記録面に照射して情報を記録または再生する光ピックアップと、を備えた光ディスク装置において、
前記回転装置の周辺から前記光ピックアップが移動する領域に至るまで貫通され、前記回転装置と前記光ディスクとの係合、前記光ピックアップから前記光ディスクへのレーザ光の照射、を可能とする第一の貫通部と、
前記光ディスクを載置させるガイドとなるディスク載置凸部と、該ディスク載置凸部の左右端部で凸部が途切れるように形成されたディスク切欠部と、を有し、前記第一の貫通部が開口している前記ディスク載置部と、
前記光ディスクの直下あるいは側面に至らないように前記光ディスクの外周側に、かつ前記ディスク載置部の後方で前記第一の貫通部から見て前記光ディスクの回転方向の上流側に配置され、前記ディスク載置切欠部から流出した前記光ディスクの回転に伴う流れが通過するように設けられた第二の貫通部と、
前記ディスク載置部において前記第一の貫通部から見て前記光ディスク装置の前方側で上下方向に貫通して設けられた前側貫通部と、
少なくとも一つが青色レーザダイオードとされた三つのレーザダイオードを設けた前記光ピックアップと、
を備えたことを特徴とする光ディスク装置。
【請求項２】
請求項１に記載のものにおいて、前記光ディスクの回転に伴う流れが通過すると前記第二の貫通部で吸い上げ流を発生し、前記ディスク載置切欠部から流出し前記第一の貫通部に向かう前記光ディスクの回転に伴う流れ、前記光ディスク上下面から流れてくる前記光ディスクの回転に伴う流れ、と共に前記第一の貫通部へ至ることを特徴とする光ディスク装置。
【請求項３】
請求項１に記載のものにおいて、前記第二の貫通部は、前記光ディスク装置の幅方向に比べ前後方向が長い形状とされ、前記光ディスクの回転に伴う流れが通過すると前後方向大部分で吸い上げ流を発生し、最外周部で開口端部に前記光ディスクの回転に伴う流れが衝突して部分的に下降する流れが生じて前記吸い上げ流に合流し、合流した流れは、前記ディスク載置切欠部から流出し前記第一の貫通部に向かう前記光ディスクの回転に伴う流れ、前記光ディスク上下面から流れてくる前記光ディスクの回転に伴う流れ、と共に前記第一の貫通部へ至ることを特徴とする光ディスク装置。
【手続補正２】
【補正対象書類名】明細書
【補正対象項目名】０００８
【補正方法】変更
【補正の内容】
【０００８】
上記目的を達成するため、本発明は、光ディスクの内径と係合し回転させる回転装置と、前記光ディスクよりもやや大きい大きさで窪んでおり、前記光ディスクの載る位置を規定するディスク載置部と、前記光ディスクの径方向に移動可能とされ、レーザ光を前記光ディスク下面の記録面に照射して情報を記録または再生する光ピックアップと、を備えた光ディスク装置において、前記回転装置の周辺から前記光ピックアップが移動する領域に至るまで貫通され、前記回転装置と前記光ディスクとの係合、前記光ピックアップから前記光ディスクへのレーザ光の照射、を可能とする第一の貫通部と、前記光ディスクを載置させるガイドとなるディスク載置凸部と、該ディスク載置凸部の左右端部で凸部が途切れるように形成されたディスク切欠部と、を有し、前記第一の貫通部が開口している前記ディスク載置部と、前記光ディスクの直下あるいは側面に至らないように前記光ディスクの外周側に、かつ前記ディスク載置部の後方で前記第一の貫通部から見て前記光ディスクの回転方向の上流側に配置され、前記ディスク載置切欠部から流出した前記光ディスクの回転に伴う流れが通過するように設けられた第二の貫通部と、前記ディスク載置部において前記光ディスク装置の前側に貫通して設けられた前側貫通部と、少なくとも一つが青色レーザダイオードとされた三つのレーザダイオードを設けた前記光ピックアップと、を備えたものである。